(57)【要約】【課題】異企業の集まりである異業種交流会では、自分が暖めている良いアイデアを出すと他人に盗まれるのではないかと疑心暗鬼となり、誰も良いアイデアを出さず、他人からアイデアの出るのを待つばかりである。このようなことを毎回繰り返すうちに解散に追い込まれる。異業種交流のような他人が居る場合だけでなく、企業の社員だけで行われる会議でさえも同じ理由で自分が出したアイデアを上司にもしくは先輩に取られ功績をもってゆかれるのではないかと黙ってしまう。【解決手段】本発明は自分が最初にアイデアを出した者であることを保証するためのシステムを提供するもので、アイデアもしくは提案を提出する者は、自分の名前と提案を提出した年月日および時間を分まで記載して登録するシステムを提案するものである。【選択図】図１
2008015995.tif 000002
【特許請求の範囲】
【請求項１】
多数の人々から提案されたニーズ、技術的課題、これらのニーズおよび技術的課題の実現方法および／もしくはアイデア・手段、およびそれらを実現する具体例（以下  提案事項  という）を収集・蓄積し、それらを随時組み合わせ・編集して新規性、進歩性のある有意な発明に仕上げることを特徴とする集団による発明・企画の創造・纏め方法
【請求項２】
請求項１における提案事項は、紙などに直接記録するか、文字入力キーによりメモリーに入力することにより収集・蓄積し、それらをコンピュータにより随時組み合わせ・編集し、有意な発明若しくは企画に仕上げることを特徴とする集団による発明・企画の創造・纏め方法
【請求項３】
請求項２において、提案事項を記録するときには、当該提案者の氏名と提案した時間を時・分までを直接提案用紙に記録、もしくは文字入力キーによりメモリーに入力することを必須とすることを特徴とする集団による発明・企画の創造・纏め方法
【請求項４】
請求項３のメモリーを保存し、必要の都度呼び出し、時系列もしくはキイワード毎に組み合わせて発明もしくは企画に仕上げることを特徴とする集団による発明・企画の創造・纏め方法
【請求項５】
提案はすべて、書式、意味不明なものおよび不鮮明なもの、誤字脱字の確認等のチェックを経た上で正式な提案として受理され、しかる後請求項１から請求項４の処置が行われて発明若しくは企画に仕上げられることを特徴とする集団による発明・企画の創造・纏め方法
【請求項６】
定められた期間を過ぎてからでも、当該収集蓄積されたシーズ、ニーズおよび技術的課題、これらニーズおよび技術的課題を実現するアイデア・企画、そのアイデア・企画を実現する方法や手段などを具体的に記載した実施例からヒントを得て更にこれらを拡張・発展させたアイデアもしくは企画の実施例、を思いついた者はいつでも提案することができることを特徴とする集団による発明・企画の創造・纏め方法
【請求項７】
請求項１から請求項６により発明が生じたときは、当該発明の請求項に採用されたアイデアの提案者および実施例の提案者は全員発明者とされることを特徴とする集団による発明・企画の創造・纏め方法
【請求項８】
同一もしくは同等のアイデアもしくは同一もしくは同等の実施例の提案が複数あった場合、請求項７における発明者の認定は最先の提案者とすることを特徴とする集団による発明の創造・纏め方法
【請求項９】
請求項１から請求項７により有意な企画やアイデアが生じたときは、当該企画に採用された企画やアイデアの提案者および当該企画やアイデアを実現する具体的な実施方法の提案者は全員企画提案者として認定され永く栄誉を与えられることを特徴とする集団による企画の創造・纏め方法
【請求項１０】
同一もしくは同等の企画・アイデアもしくは同等の実施例の提案があった場合、最先の提案者が当該企画やアイデアの主たる提案者として認定され永く栄誉を与えられることを特徴とする集団による企画の創造・纏め方法
【発明の詳細な説明】
【技術分野】
【０００１】本発明は、複数の構成員からなる集団、団体、組織体が営利活動、奉仕活動、公共活動、教育もしくは宗教等の活動を行う上でより有効な活動方法、活動方針もしくは新製品の開発、新規事業の企画のアイデアを創造し纏める方法を提供するものである。
【背景技術】
【０００２】従来はメンバーを一堂に集めて議題を提案してそれに対する意見、アイデアを募る一般的な会議形式により行なわれたり、ブレンストーミング法、ＫＪ法もしくはブレンストーミング法とＫＪ法との組み合わせにより行なわれていた。【０００３】さらに、異業種交流という集まりにこれらの有効な活動方法、活動方針もしくは新製品の開発、新規事業の企画等のアイデアが出されることを期待して多くの異業種交流会が結成されているが思うような成果が出ないという問題があった。
【発明の開示】
【発明が解決しようとする課題】
【０００４】異業種交流のような他人が居る場合だけでなく、一企業の社員だけで行われる会議やブレンストーミング、ＫＪ法もしくはブレンストーム法とＫＪ法との組み合わせで行ってさえも、なかなか良いアイデアが提案されないのが実態である。【０００５】ましてや、異企業の集まりである異業種交流会では、自分が暖めている良いアイデアを出すと他人に無断で持って行かれるのではないかと疑心暗鬼となり、誰も良いアイデアを出さず、他人からアイデアの出るのを待つ者ばかりである。このようなことを毎回繰り返すうちに徒の飲み会となってしまい殆どが解散に追い込まれる。【０００６】このことは、同じ会社内であっても同様で、自分が出したアイデアが本当に尊重されるのか保証がない。自分が出したアイデアが上司にもしくは先輩に盗まれるのではないかと黙ってしまう。【０００７】同じ会社であっても、事業所、事業部、部、課の違う者が参加している場合が多く、このような場合は異業種交流の他人の集まりと同様である。【０００８】特に若年者や地位の低い者は、上の者に利用されるだけで不当な扱いをされる恐れがあると思うと良いアイデアが浮かばないし、仮に思いついたとしても提案しないケースがある。【０００９】要するに、良いアイデアを提案した者が必ず報われるような体制、制度、もしくはシステムになっていない事が大きな問題となっている。【００１０】発明は集団では生み出され難く、従って発明は個人が行うものであるというのが現状である。【００１１】しかしながら、現在のように技術分野が多岐に亘り、それぞれが深く先鋭化している上に、化学と電気、物理と機械、機械と化学との境界領域に関わる発明が盛んになっており、単独での発明は困難になっている。【００１２】これらの現状から、複数の人間の積極的な関与と共同作業による発明の創造、新企画の起案がなされることが必要であるが、従来では会議で誰が最初に提案したのか証明されるシステムが確立されていないため、集団による発明もしくは企画を創造する方法が確立されていないのが現状であった。しかし、もはやこれまでのように個人の発明だけに頼ってはいられない状況にある。
【課題を解決するための手段】
【００１３】そこで本発明では会議で最初に提案した者が最先の提案者であることが証明されるシステムを確立し集団による発明もしくは企画の創造を推進・纏める方法、システムを提案するものである。【００１４】すなわち、本発明はアイデアもしくは提案を提出した時間を日、時間だけでなく分および提案者名を記録し、最先の提案者であることを証明するシステムを提案するものである。【００１５】特許法では最先の出願人が特許権を得る資格があるとされているが、本発明では特許請求の範囲に採用された提案の最先の提案者が特許出願する時の発明者となり、新企画・新事業の提案会議では主たる提案者として認定されるとするものである。【００１６】これは発明の場合と企画や事業の場合とを例としたが、人間関係の改善、職場環境の改善、営業成績向上の方法など技術以外の経営上の改善、職場の人間関係の改善・改良にも応用することができる。【００１７】この発明は、発明の創造、新企画の創造、新事業の企画などの多くの目的（Ｍｕｌｔｉ−Ｐｕｒｐｏｓｅ）に向けて一定の規約を守ることを前提に集められたメンバーに対し、広く知られているＫＪ法（川喜多二郎法）とＡ・Ｆ・オスボーンが開発したブレインストーミング法とを組み合わせた集団による発明・企画の創造・纏め方法であって、Ｍｕｌｔｉ−Ｐｕｒｐｏｓｅ  ＫＪ法とブレインストーミング法とを組み合わせた方法であるので「ＭＫＪ＆ブレインストーミング法」若しくは簡略して「ＭＫＪ法」と命名する。
本発明を今後単に「ＭＫＪ法」と称して説明する。【００１８】ＭＫＪ法は、ＭＫＪ法のルールとＭＫＪ法により知ったことを特許出願されるまで秘密にすることを守ったメンバー（以下  １次メンバー  と言う）を物理的に１〜数時間の間会議室など１箇所に集め拘束してＭＫＪ法を実施する場合と、この１次メンバーに対して物理的な空間や時間を拘束せずに携帯電話、電子メールやインターネットなどの手段を用いて行う方法とがある。
【効果】
【００１９】本発明であるＭＫＪ法は、集団の知恵を結集してアイデアを出し発明を発掘するものであるが、特許を出願するためだけでなく新しい事業の企画立案や身近な事としては工夫改善などにも応用することができる。
【００２０】本発明になるＭＫＪ法は、真の最初の提案者を認定し、その提案者のプライオリティを保証し確保することが発明の中心であるから、これまで提案者のプライオリティが保証し確保されなかった通常の会議方式、異業種の会合に較べてこのＭＫＪ法を採用した場合には驚く程多くの提案がなされている。
【発明を実施するための最良の形態】
【００２１】ＭＫＪ法には、最初に１次メンバーを１個所に集め拘束する方法と、拘束しない方法とがあるが、先ず、関係者を会議室に集め物理的に一定時間拘束して発明を発掘する方法について説明する。当該発明を行う必要のあるグループを会議室に召集する。その召集する１次メンバーは、約１３名ほどとし、その１次メンバーの内訳は、例えば技術分野の異なる技術系の者７名、営業関係者２名、企画関係者１名、特許調査担当１名、特許出願担当１名、司会進行係１名の１３名などとする。さらに提案受付者、提案チェックをする係り、助手数名の構成メンバーとする。
予め用意するものは、サインペンのような筆記道具を人数分、一人あたり１０枚程度行き亘る枚数のＡ５版のメモ用カード（このメモ用カードには、開催日、アイデア提出時間、何時何分まで記載する）、提案者名を記載することを絶対条件とした上でシーズ、ニーズ、何らかのアイデア、企画案、改善案、技術的解決策、問題解決のアイデア若しくはノウハウを記載する。【００２２】上記要件をメモ用カードに記載した者は速やかに受付けに提出しチェックを受けるものとする。受付は（知財センター）提出されたメモ用カードに提案者名、提案事項、提案事項の意味が不明な場合は、内容の確認を行う。必要とあれば内容の修正、誤字脱字の訂正を行った後、受け付け時間を時・分まで記載して受付け、登録カードに登録される（以後このデータを一次蓄積データ  という）。【００２３】登録カードは、参加者全員が見ることができるように張り出される。その登録カードの張り出し方法は、提案内容の相関関係を考慮して、相関図的に白板もしくは壁に貼られる。このような相関図から連想しヒントを得て参加者はアイデアを更に創出することができる。【００２４】これは所謂ＫＪ法とブレンストーミング法との組み合わせに過ぎないと思われる可能性があるが、ＭＫＪ法の最も特徴とする所は、ＫＪ法とブレンストーミング法との単なる組み合わせたものではなく、特許出願の発明者の認定、事業企画の最先の提案者の認定を行うために、提出時間を厳密に記録・登録することにある。【００２５】このことは非常に大きな意味を持ち、企業内、企業間、異業種交流会などが主催する開発会議などで安心して自分の大事なアイデアや企画案を提案できる環境を提供することになるのである。【００２６】知財センターは、多数の人々から提案されたニーズおよび技術的課題、更にまた当該ニーズおよび技術的課題を実現するアイデア、およびそれらを実現する方法もしくは手段など【００２７】を具体的に記載した登録カード、それらを随時組み合わせ・編集して有意な発明に仕上げ効率的に発明を創造する。
知財センターは、これら登録カードからだけでは具体的な実施手段もしくは実施方法が不足で発明が成立しないと判断したときは、不足している実施例を再募集し、それらが充足した後特許出願処理を行う。
【実施例１】
【００２８】次に、ＭＫＪ法を携帯電話、電子メールやインターネットなどの手段を用いて物理的な空間や時間を拘束せずに行う方法を説明する。【００２９】各１次メンバーが知財センターから提案された課題に対し何らかの情報を思いついたとき、１次メンバーの各自が所有する携帯電話その他の通信手段を用いて知財センターに繋ぎ、それぞれが思いついたアイデアや事業の企画などの情報を登録する。知財センターは一旦その情報を受け所定のホルダーに貯蔵すると同時に１次メンバーと知財センターの関係者が閲覧出来るようにする。【００３０】情報を受け貯蔵するメモリー・ストレージは少なくとも大、中、小に分類される。メモリー・ストレージの分類は、例えばシーズ、ニーズ、発明のアイデア、企画のアイデア、技術課題の提起、ニーズの充足案、具体的な技術の解決策を大分類とし、各大分類に対して中分類、小分類を設けてテーマ毎に整理すると、特定の課題に対する解決策がまとまる。【００３１】若しその纏まった解決策が有意な発明で特許出願する価値があると認識されると出願処理され、当該発明の発明者は請求項に採用されたアイデアの提案者および実施例の提案者の全員が発明者とされる。【００３２】さらに、若し同一もしくは同等のアイデアもしくは実施例の提案が複数あった場合には、発明者は最先のアイデアおよび、もしくは実施例の提案者を発明者とする。【００３３】しかし、若しその纏まった解決策が特許出願せずに実施する場合には、本発明は提案者の名前を付して提案者を尊重することを特徴とする集団による企画の創造・纏める方法を提供する。【００３４】本発明は、シーズ、ニーズおよび技術的課題、これらニーズおよび技術的課題、これらニーズおよび技術的課題を実現するためのアイデア・企画、およびそれらを実現する方法や手段などの具体的に記載した実施例の記録を文字入力キーによりメモリー・ストレージにデータとして入力・収集蓄積し知財センターにより提案内容の相関関係を考慮して相関図的に随時並べられた結果、それらが有意な発明若しくは企画に仕上げることを特徴とする集団によるアイデア・企画等の創造方法を提供する。【００３５】受け付けられた登録カードは、参加者全員が見ることができるように提案内容の相関関係を考慮して室内の壁や白板に相関図的に並べ張り出される。
このような相関図から、参加者は連想して、これをヒントに更にアイデアを創出することができる。これらのことを数回繰り返すことにより、発明や新企画が生まれる。【００３６】前記会議が終了した後も、１次メンバーは、無線、有線等の通信手段を用いてＫＪ＆ブレインストーミング法を継続し、技術的課題を実現するためのアイデア・企画、およびそれらを実現する方法や手段などの具体的に記載した実施例の記録を、文字入力キーによりメモリーに入力しセンターに登録することによりデータが蓄積・収集される。
【実施例２】
【００３７】これまで、最初に１次メンバーを拘束する方法についての説明を行ってきたが、一堂に大勢の人を集めるのは大変困難な昨今、ＩＴなどの先端技術である無線、有線等の通信手段を駆使することにより夫々各自のデスクに居ながらＫＪ＆ブレンストーミング法に参加することが出来る。【００３８】知財センターには、それぞれのコンピュータからシーズ（こんな事が出来る、こんな材料がある、こんなからくりがあるなど）、ニーズ（もっと廉価にならないか、もっと早く出来ないか、もっと簡単にならないか、新人でも出来るようにならないか、こんな事が出来ればもっと売れる）、技術的課題、ニーズおよび技術的課題を実現するためのアイデア・企画、およびそれらを実現する方法や手段などが具体的に記載されたデータが登録されており必要があればデータ記載カードとしてプリントすることも可能である。【００３９】各自は、知財センターにアクセスして自分のコンピュータから他の１次メンバーの登録データを見ることが出来、これをヒントに更に良いアイデアを知財センターに登録（以後これを  逐次蓄積データ  という）することができる。このことを数回繰り返す内に有意な発明若しくは企画が生まれることが期待される。【００４０】これらの手順を図１により説明する。
「１」先ず登録カードに提案事項と自分の名前を記入した後知財センターに提出する。知財センターでは簡単に内容と書式をチェックした後  日・時・分を記入し登録する。
更に知財センターではこれら提案を時系列と、内容別とに分類整理しこれをコンピュータに蓄積する。以後このデータを初期蓄積データという。
「２」次に、最初のＭＫＪ法の後さまざまな提案が逐次がなされ、これらはコンピュータに蓄積される。以後このデータを逐次蓄積データという。
「３」初期蓄積データと逐次蓄積データの中から特許請求範囲とするべき提案を選択・抜枠する（特許請求範囲に該当する提案を選択する）。
「４」初期蓄積データと逐次蓄積データの中から特許請求範囲に対応する実施例を選択、抜粋する。
「５」初期蓄積データと逐次蓄積データの中から特許請求範囲及び実施例に対応する目的、効果を選択、抜粋する。
「１」「２」「３」「４」「５」を組み合わせ、整理して特許出願の明細書を作成する。
【実施例３】
【００４１】実施例２により自然発生的に有意な発明若しくは企画が生まれる可能性が大きいが、実際に有意な発明若しくは企画が生まれるまでに相当長い期間を要する。しかし、製品の発表、展示会、学会発表、新事業立ち上げ、侵害回避などの時には可能な限り早く、優れたアイデア・企画案の提出および特許出願が要請される。そのようなときには知財センターが積極的に介在して有意な発明若しくは企画が生まれるよう補助する必要がある。【００４２】知財センターでは、既に複数人から提案された逐次蓄積データを、特許請求範囲にすべき提案、目的を記載した提案、効果を記載した提案、特許請求範囲にすべき提案をどのようにして実現するかを具体的に詳細に記載した実施例、などに分類し相関関係が明瞭になるように並び変えることにより発明として出願するのに不十分な事項を見つけることができる。【００４３】知財センターでは、発明として出願するのに不十分な事項を抽出して１次メンバーに示し、この不十分な事項を補正、補充もしくは補足するよう呼びかけ発明として完成するよう奔走する。
知財センターのメンバー自身の専門知識を駆使して不十分な事項を補正、補充もしくは補足を行っても良いし、逐次蓄積データをコンピュータにより随時に組み合わせ・編集して有意な発明若しくは企画に仕上げても良い。
【実施例４】
【００４４】ＭＫＪ法は、原則として最初に提案された特許請求範囲にすべき提案が全て特許出願された時をもって終結とし、メモリー・ストレージに「出願済み」ホルダーを作成しそこに格納する。【００４５】一方、アイデアのみで具体的な実現性のないものが残りいつまでも保留となるが、しかし将来技術進歩に伴い実現性が出てこないとは言えない。そのようなものは、メモリー・ストレージに「アイデア」ホルダーを作成しそこに格納する。
この「アイデア」ホルダーは一定期間例えば６ヶ月または１ヵ年後に、１次メンバー以外のメンバー（以後  ２次メンバー  という）に公開し、広く提案を求める。【００４６】１次メンバー、２次メンバーに選ばれた者が営業やセールスマンであれば、顧客の要望、提案、意見、不満などを聞くチャンスが多く、それをＭＫＪ法の知財センターに自分の携帯電話から登録すると、その中から顧客の不満・要望を解決した現製品の改良・改善が提案されるきっかけとなる。さらに進んで新製品開発のヒントになる可能性がある。【００４７】又、１次メンバー、２次メンバーに選ばれた者が工場の現場の者であれば、常日頃の仕事の中から、製品の改善・改良、組み立て作業の効率向上のアイデア、作業効率向上のための環境の提案など現場の者でなければ気づかない提案が、携帯電話からＭＫＪ法の知財センターに登録できる。【００４８】更に又、１次メンバー、２次メンバーに選ばれた者が研究や開発に携わる者であれば、新しい事象の発見や発明を即座に携帯電話からＭＫＪ法の知財センターに登録することができ、発明ノートとして先発明の証拠とすることも可能である。この目的には時間が証拠として認められるような工夫が必要で、公認証拠性のある時間スタンプを採用する必要がある。
【産業上の利用可能性】
【００４９】本発明になるＭＫＪ法は、研究・開発部門、物作りのメーカーにおいて最も有力な発明発掘手段であるのは明白であるが、本発明になるＭＫＪ法は業種、業態によらずあらゆる分野で利用可能である。例えば、商社においては新しい商品の販売戦略を提案させるときや官公庁などの場合には、住民から仕事の進め方や経費節減について提案して貰うなどにも応用できる。ただこの場合、本発明になるＭＫＪ法は特許を出願することにはならないが改善案を効率良く出すと言う意味では十分に有益である。
【図面の簡単な説明】
【００５０】
【図１】本発明であるＭＫＪ法を用いて発明を発掘するまでの一例を示したフロー。
【図１】
2008015995.tif 000003